(57)【特許請求の範囲】
【請求項１】
ユーザ機器（ＵＥ）によるワイヤレス通信のための方法であって、
マシンタイプ通信（ＭＴＣ）のためのバンドリングされたシステム情報ブロック（ＳＩＢ）を受信するための１つ以上のロケーションを決定することと、
前記バンドリングされたＳＩＢおよび１つ以上のＳＩＢ再送のための変調コーディングスキーム（ＭＣＳ）および冗長バージョン（ＲＶ）を示す物理ブロードキャストチャネル（ＰＢＣＨ）の予約済フィールドにおいてインジケーションを受信することと、
前記１つ以上のロケーションで受信された前記バンドリングされたＳＩＢを復号すること、ここにおいて、前記復号することは、前記示されたＲＶおよびＭＣＳを使用して、期間にわたって受信したＳＩＢ再送を組み合わせることを含み、前記ＳＩＢ再送のための前記システム情報のコンテンツは、前記期間にわたって固定される、と
を備える、方法。
【請求項２】
前記ＵＥによってサポートされる１つ以上のサービスを決定することをさらに備える、
請求項１に記載の方法。
【請求項３】
前記ＵＥによってサポートされる前記１つ以上のサービスは、サービス帯域幅に、少なくとも部分的に、依存する、
請求項２に記載の方法。
【請求項４】
前記１つ以上のサービスは、マルチキャストブロードキャストメディアサービス（ＭＢＭＳ）またはカバレッジ強化のうちの少なくとも１つを備える、
請求項２に記載の方法。
【請求項５】
ブロードキャスト送信において前記ＵＥに提供されるＭＢＭＳ構成を受信することをさらに備える、
請求項４に記載の方法。
【請求項６】
前記１つ以上のロケーションを示すスケジューリング情報を持つＭＴＣ特有の制御チャネルが受信されない、
請求項１に記載の方法。
【請求項７】
前記１つ以上のロケーションを決定することは、前記バンドリングされたＳＩＢの送信のための１つ以上の固定の周波数ロケーションを決定することをさらに含む、
請求項１に記載の方法。
【請求項８】
前記１つ以上のロケーションを決定することは、サブフレームを示す予約済フィールドを含む受信されたＰＢＣＨ送信に基づいて、前記バンドリングされたＳＩＢの送信のための前記サブフレームを決定することを備える、
請求項１に記載の方法。
【請求項９】
前記１つ以上のロケーションを決定することは、物理リソースブロック（ＰＲＢ）ペアにおいて同じバンドリングサイズを有するバンドリングされたＳＩＢのための周波数ホップロケーションを決定することを備える、
請求項１に記載の方法。
【請求項１０】
前記ＰＢＣＨは、サブフレーム０およびサブフレーム５において受信される、
請求項１に記載の方法。
【請求項１１】
基地局（ＢＳ）によるワイヤレス通信のための方法であって、
マシンタイプ通信（ＭＴＣ）のための、ユーザ機器（ＵＥ）にバンドリングされたシステム情報ブロック（ＳＩＢ）を送信するための１つ以上のロケーションを決定することと、
前記１つ以上のロケーションで前記前記バンドリングされたＳＩＢを送信することと、
期間にわたって１つ以上のＳＩＢ再送を送信すること、ここにおいて、前記ＳＩＢ再送のための前記システム情報のコンテンツは、前記期間にわたって固定される、と、
前記バンドリングされたＳＩＢおよびＳＩＢ再送のための変調コーディングスキーム（ＭＣＳ）および冗長バージョン（ＲＶ）を示す物理ブロードキャストチャネル（ＰＢＣＨ）の予約済フィールドにおいてインジケーションを送信することと
を備える、方法。
【請求項１２】
前記１つ以上のロケーションの前記決定は、１つ以上のサポートされるサービスに、少なくとも部分的に、依存する、
請求項１１に記載の方法。
【請求項１３】
前記１つ以上のサポートされるサービスは、サービス帯域幅に、少なくとも部分的に、依存する、
請求項１２に記載の方法。
【請求項１４】
前記１つ以上のサービスは、マルチキャストブロードキャストメディアサービス（ＭＢＭＳ）またはカバレッジ強化のうちの少なくとも１つを備える、
請求項１２に記載の方法。
【請求項１５】
ブロードキャスト送信において、前記ＵＥにＭＢＭＳ構成を提供することをさらに備えるく、
請求項１４に記載の方法。
【請求項１６】
前記１つ以上のロケーションを示すスケジューリング情報を持つＭＴＣ特有の制御チャネルを、前記ＵＥに、送信することを控えることをさらに備える、
請求項１１に記載の方法。
【請求項１７】
前記１つ以上のロケーションを決定することは、前記１つ以上のの送信のための１つ以上の固定の周波数ロケーションを決定することをさらに含む、
請求項１１に記載の方法。
【請求項１８】
前記１つ以上のロケーションを決定することは、前記バンドリングされたＳＩＢの送信のためのサブフレームを決定することを備え、
前記方法は、前記サブフレームを示す前記ＰＢＣＨにおいて予約済フィールドを送信することをさらに備える、
請求項１１に記載の方法。
【請求項１９】
前記１つ以上のロケーションを決定することは、物理リソースブロック（ＰＲＢ）ペアにおいて同じバンドリングサイズを有するバンドリングされたＳＩＢの送信のための周波数ホップロケーションを決定することを備える、
請求項１１に記載の方法。
【請求項２０】
命令を記憶したメモリに結合された少なくとも１つのプロセッサと、
受信機と
を備え、前記少なくとも１つのプロセッサは、
マシンタイプ通信（ＭＴＣ）のためのバンドリングされたシステム情報ブロック（ＳＩＢ）送信を受信するための１つ以上のロケーションを決定することと、
期間にわたって受信されたＳＩＢ再送を組み合わせることによって前記１つ以上のロケーションで受信された前記バンドリングされたＳＩＢを復号すること、ここにおいて、前記ＳＩＢ再送のための前記システム情報のコンテンツは、前記期間にわたって固定される、と
を行うように構成され、
前記受信機は、
前記バンドリングされたＳＩＢおよびＳＩＢ再送のための変調コーディングスキーム（ＭＣＳ）および冗長バージョン（ＲＶ）を示す物理ブロードキャストチャネル（ＰＢＣＨ）の予約済フィールドにおいてインジケーションを受信することと、
前記期間にわたって前記バンドリングされたＳＩＢおよびＳＩＢ再送を受信することと
を行うように構成される、装置。
【請求項２１】
前記少なくとも１つのプロッサは、前記装置によってサポートされる１つ以上のサービスを決定することを行うようにさらに構成される、
請求項２０に記載の装置。
【請求項２２】
命令を記憶するメモリと結合された少なくとも１つのプロセッサと、
送信機と
を備え、前記少なくとも１つのプロセッサは、マシンタイプ通信（ＭＴＣ）のための、ユーザ機器（ＵＥ）にバンドリングされたシステム情報ブロック（ＳＩＢ）を送信するための１つ以上のロケーションを決定することを行うように構成され、
前記送信機は、
前記１つ以上のロケーションで前記バンドリングされたＳＩＢを送信することと、
期間にわたって１つ以上のＳＩＢ再送を送信すること、ここにおいて、記ＳＩＢ再送のための前記システム情報のコンテンツは、前記期間にわたって固定される、と、
前記バンドリングされたＳＩＢおよびＳＩＢ再送のための変調コーディングスキーム（ＭＣＳ）および冗長バージョン（ＲＶ）を示す物理ブロードキャストチャネル（ＰＢＣＨ）の予約済フィールドにおいてインジケーションを送信することと
を行うように構成される、装置。
【請求項２３】
前記１つ以上のロケーションの前記決定は、１つ以上のサポートされるサービスに、少なくとも部分的に、依存する、
請求項２２に記載の装置。
【発明の詳細な説明】
【関連出願の相互参照】
【０００１】
[0001]本願は、２０１５年１月３０日に出願された米国仮特許出願第６２／１０９，９２７号の優先権を主張する、２０１６年１月２７日に出願された米国特許出願第１５／００８，３４６号に対して優先権を主張し、これら両方は、本明細書に、その全文に参照により明確に組み込まれる。
【技術分野】
【０００２】
[0002]本開示のある特定の態様は概して、ワイヤレス通信に関し、より具体的には、カバレッジ強化（coverage enhancements）を持つマシンタイプ通信（ＭＴＣ）デバイスのような、ある特定のワイヤレスデバイスのためのシステム情報ブロック（ＳＩＢ）を取得することに関する。
【背景技術】
【０００３】
[0003]ワイヤレス通信システムは、音声、データ、等のような様々なタイプの通信コンテンツを提供するために広く展開されている。これらのシステムは、利用可能なシステムリソース（例えば、帯域幅および送信電力）を共有することによって複数のユーザとの通信をサポートする能力がある多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標））ロングタームエボリューション（ＬＴＥ（登録商標））／ＬＴＥアドバンスドシステム、および直交周波数分割多元接続（ＯＦＤＭＡ）システムを含む。
【０００４】
[0004]一般的に、ワイヤレス多元接続通信システムは、複数のワイヤレス端末のための通信を同時にサポートすることができる。各端末は、順方向および逆方向リンク上の送信を介して１つ以上の基地局と通信する。順方向リンク（すなわちダウンリンク）は、基地局から端末への通信リンクを指し、逆方向リンク（すなわちアップリンク）は、端末から基地局への通信リンクを指す。この通信リンクは、単一入力単一出力、多入力単一出力、または多入力多出力（ＭＩＭＯ）システムを介して確立され得る。
【０００５】
[0005]ワイヤレス通信ネットワークは、多数のワイヤレスデバイスのための通信をサポートすることができる多数の基地局を含み得る。ワイヤレスデバイスは、ユーザ機器（ＵＥ）を含み得る。ＵＥのうちのいくつかの例は、セルラ電話、スマートフォン、携帯情報端末（ＰＤＡ）、ワイヤレスモデム、ハンドヘルドデバイス、タブレット、ラップトップコンピュータ、ネットブック、スマートブック、ウルトラブック、等を含み得る。いくつかのＵＥは、マシンタイプ通信（ＭＴＣ）ＵＥと考えられ得、それらは、基地局、別の遠隔デバイス、または何らかの他のエンティティと通信し得る、センサ、メータ、ロケーションタグ、等のような遠隔デバイスを含み得る。マシンタイプ通信（ＭＴＣ）は、通信の少なくとも一端に少なくとも１つの遠隔デバイスを関与させる通信を指し得、必ずしもヒューマンインタラクション（human interaction）を必要としない１つ以上のエンティティを含むデータ通信の形態を含み得る。ＭＴＣ  ＵＥは、例えば、パブリックランドモバイルネットワーク（ＰＬＭＮ）を通してＭＴＣサーバおよび／または他のＭＴＣデバイスとのＭＴＣ通信の能力があるＵＥを含み得る。
【０００６】
[0006]ネットワークが、マルチメディアブロードキャストマルチキャストサービス（ＭＢＭＳ）を用いて構成されるか、マルチブロードキャスト単一周波数ネットワーク（ＭＢＳＦＮ）を用いて構成されているかどうか既知でないとき、ＭＴＣサービスのためのカバレッジ強化を持つＭＴＣデバイスのＳＩＢ獲得を強化するために、ネットワークの帯域幅およびモードは、システムデータを獲得するためのタイミングを決定するために使用され得る。
【発明の概要】
【０００７】
[0007]本開示のある特定の態様は、マシンタイプ通信（ＭＴＣ）ＵＥのような、ある特定のデバイスに制御チャネルを通信するための技法および装置を提供する。
【０００８】
[0008]本開示のある特定の態様は、ユーザ機器（ＵＥ）によるワイヤレス通信のための方法を提供する。方法は概して、バンドリングされた送信上でマシンタイプ通信（ＭＴＣ）のためのシステム情報を受信するための１つ以上のロケーションを決定することと、バンドリングされた送信上での複数のロケーションで受信されたシステム情報を復号することとを含む。
【０００９】
[0009]本開示のある特定の態様は、少なくとも１つのプロセッサと、記憶された命令を持つ、少なくとも１つのプロセッサに結合されたメモリとを備える装置を提供する。装置は概して、バンドリングされた送信上でマシンタイプ通信（ＭＴＣ）のためのシステム情報を受信するための複数のロケーションを決定することと、バンドリングされた送信上での複数のロケーションで受信されたシステム情報を復号することとを行うように構成される少なくとも１つのプロセッサ含む。
【００１０】
[0010]本開示のある特定の態様は、基地局（ＢＳ）によるワイヤレス通信のための方法を提供する。方法は概して、バンドリングされた送信上でマシンタイプ通信（ＭＴＣ）のためのシステム情報をユーザ機器（ＵＥ）に送信するための１つ以上のロケーションを決定することと、バンドリングされた送信上でのロケーションでシステム情報を送信することとを含む。
【００１１】
[0011]本開示のある特定の態様は、少なくとも１つのプロセッサと、記憶された命令を持つ、少なくとも１つのプロセッサに結合されたメモリとを備える装置を提供する。装置は概して、バンドリングされた送信上でマシンタイプ通信（ＭＴＣ）のためのシステム情報をユーザ機器（ＵＥ）に送信するための１つ以上のロケーションを決定することと、バンドリングされた送信上でのロケーションでシステム情報を送信するように構成される少なくとも１つのプロセッサを含む。
【００１２】
[0012]方法、装置、システム、コンピュータプログラム製品、および処理システムを含む、数多くの他の態様が、提供される。
【図面の簡単な説明】
【００１３】
【図１】図１は、本開示のある特定の態様にしたがう、ワイヤレス通信ネットワークの例を概念的に例示するブロック図である。
【図２】図２は、本開示のある特定の態様にしたがう、ワイヤレス通信ネットワークにおけるユーザ機器（ＵＥ）と通信する基地局の例を概念的に例示するブロック図を示す。
【図３】図３は、本開示のある特定の態様にしたがう、ワイヤレス通信ネットワークにおけるフレーム構造の例を概念的に例示するブロック図である。
【図４】図４は、通常のサイクリックプレフィックスを持つ２つの例示的なサブフレームフォーマットを概念的に例示するブロック図である。
【図５】図５は、本開示のある特定の態様にしたがう、ＬＴＥのような、広帯域システム内でのＭＴＣ共存（MTC co-existence）のための制御シグナリングの例を例示する。
【図６Ａ】図６Ａは、本開示のある特定の態様にしたがう、ＬＴＥのような、広帯域システム内でのＭＴＣ共存の例を例示する。
【図６Ｂ】６Ｂは、本開示のある特定の態様にしたがう、ＬＴＥのような、広帯域システム内でのＭＴＣ共存の例を例示する。
【図７】図７は、ユーザ機器によって行われ得る例示的な動作７００を例示する。
【図８】図８は、基地局によって行われ得る例示的な動作８００を例示する。
【詳細な説明】
【００１４】
[0021]本開示の態様は、基地局と、マシンタイプ通信（ＭＴＣ）ベースのユーザ機器（ＵＥ）との間の効率的な通信をイネーブルするのを支援し得る技法を提供する。例えば、技法は、通信のための狭帯域（例えば、６つのＰＲＢ）ベースの探索空間を使用して、ＭＴＣ  ＵＥをターゲットにする制御チャネルのための設計を提供し得る。この探索空間は、広帯域システム内のサブフレームのサブセットにおいて送信され、セル構成情報のためのスケジューリング情報を搬送し得る。
【００１５】
[0022]本明細書に説明される技法は、ＣＤＭＡ、ＴＤＭＡ、ＦＤＭＡ、ＯＦＤＭＡ、ＳＣ−ＦＤＭＡおよび他のネットワークのような、様々なワイヤレス通信ネットワークのために使用され得る。「ネットワーク」および「システム」という用語は、しばしば交換可能に使用される。ＣＤＭＡネットワークは、ユニバーサル地上無線アクセス（ＵＴＲＡ）、ｃｄｍａ２０００、等のような無線技術を実施し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形を含む。ｃｄｍａ２０００は、ＩＳ−２０００、ＩＳ−９５、およびＩＳ−８５６規格をカバーする。ＴＤＭＡネットワークは、モバイル通信のためのグローバルシステム（ＧＳＭ（登録商標））のような無線技術を実施し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（登録商標）、等のような無線技術を実施し得る。ＵＴＲＡおよびＥ−ＵＴＲＡは、ユニバーサルモバイルテレコミュニケーションシステム（ＵＭＴＳ）の一部である。周波数分割複信（ＦＤＤ）および時分割複信（ＴＤＤ）の両方において、３ＧＰＰロングタームエボリューション（ＬＴＥ）およびＬＴＥアドバンスド（ＬＴＥ−Ａ）は、ダウンリンク上でＯＦＤＭＡを、アップリンク上でＳＣ−ＦＤＭＡを用いるＥ−ＵＴＲＡを使用するＵＭＴＳの新たなリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に説明されている。ｃｄｍａ２０００およびＵＭＢは、「第３世代パートナーシッププロジェクト２」（３ＧＰＰ２）と呼ばれる団体からの文書に説明されている。本明細書で説明される技法は、上述されたワイヤレスネットワークおよび無線技術、ならびに他のワイヤレスネットワークおよび無線技術のために使用され得る。明確さのために、技法のある特定の態様は、ＬＴＥ／ＬＴＥ−アドバンスドについて以下に説明され、ＬＴＥ／ＬＴＥ−アドバンスドの用語が以下の説明の大部分において使用される。ＬＴＥおよびＬＴＥ−Ａは概して、「ＬＴＥ」と称される。
【００１６】
[0023]図１は、本開示の態様が実現され得る、例示的なワイヤレス通信ネットワーク１００を例示する。例えば、本明細書に提示される技法は、図１に示されているＵＥおよびＢＳが、狭帯域（例えば、６つのＰＲＢ）ベースの探索空間を使用してマシンタイプ物理ダウンリンク制御チャネル（ｍＰＤＣＣＨ）上で通信するのを支援するために使用され得る。
【００１７】
[0024]ネットワーク１００は、ＬＴＥネットワークまたは何らかの他のワイヤレスネットワークであり得る。ワイヤレスネットワーク１００は、多数の発展型ノードＢ（ｅＮＢ）１１０および他のネットワークエンティティを含み得る。ｅＮＢは、ユーザ機器（ＵＥ）と通信するエンティティであり、基地局、ノードＢ、アクセスポイント、等とも称され得る。各ｅＮＢは、特定の地理的エリアに通信カバレッジを提供し得る。３ＧＰＰにおいて、「セル」という用語は、この用語が使用されるコンテキストに依存して、ｅＮＢのカバレッジエリアおよび／またはこのカバレッジエリアにサービングするｅＮＢサブシステムを指すことができる。
【００１８】
[0025]ｅＮＢは、マクロセル、ピコセル、フェムトセル、および／または他のタイプのセルに通信カバレッジを提供し得る。マクロセルは、比較的大きい地理的エリア（例えば、半径数キロメートル）をカバーし得、サービスに加入しているＵＥによる無制限のアクセスを可能にし得る。ピコセルは、比較的小さい地理的エリアをカバーし得、サービスに加入しているＵＥによる無制限のアクセスを可能にし得る。フェムトセルは、比較的小さい地理的エリア（例えば、ホーム）をカバーし得、フェムトセルと関連性を有するＵＥ（例えば、クローズド加入者グループ（ＣＳＧ：closed subscriber group）におけるＵＥ）による制限されたアクセスを可能にし得る。マクロセルのためのｅＮＢは、マクロｅＮＢと称され得る。ピコセルのためのｅＮＢは、ピコｅＮＢと称され得る。フェムトセルのためのｅＮＢは、フェムトｅＮＢまたはホームｅＮＢ（ＨｅＮＢ）と称され得る。図１に示されている例において、ｅＮＢ１１０ａは、マクロセル１０２ａのためのマクロｅＮＢであり得、ｅＮＢ１１０ｂは、ピコセル１０２ｂのためのピコｅＮＢであり得、ｅＮＢ１１０ｃは、フェムトセル１０２ｃのためのフェムトｅＮＢであり得る。ｅＮＢは、１つまたは複数（例えば、３つ）のセルをサポートし得る。「ｅＮＢ」、「基地局」、および「セル」という用語は、本明細書では交換可能に使用され得る。
【００１９】
[0026]ワイヤレスネットワーク１００は中継局も含み得る。中継局は、アップストリーム局（例えば、ｅＮＢまたはＵＥ）からデータの送信を受信し、ダウンストリーム局（例えば、ＵＥまたはｅＮＢ）にデータの送信を送ることができるエンティティである。中継局はまた、他のＵＥのために送信を中継することができるＵＥであり得る。図１に示されている例において、中継局１１０ｄは、ｅＮＢ１１０ａとＵＥ１２０ｄと間の通信を容易にするために、マクロｅＮＢ１１０ａおよびＵＥ１２０ｄと通信し得る。中継局は、中継ｅＮＢ、中継基地局、中継器、等とも称され得る。
【００２０】
[0027]ワイヤレスネットワーク１００は、異なるタイプのｅＮＢ、例えば、マクロｅＮＢ、ピコｅＮＢ、フェムトｅＮＢ、中継ｅＮＢ、等、を含む異種ネットワークであり得る。これら異なるタイプのｅＮＢは、ワイヤレスネットワーク１００において、異なる送信電力レベル、異なるカバレッジエリア、および干渉に対する異なる影響を有し得る。例えば、マクロｅＮＢが、高い送信電力レベル（例えば、５〜４０ワット）を有し得るのに対して、ピコｅＮＢ、フェムトｅＮＢ、および中継ｅＮＢは、より低い送信電力レベル（例えば、０．１〜２ワット）を有し得る。
【００２１】
[0028]ネットワークコントローラ１３０は、ｅＮＢのセットに結合し得、これらｅＮＢに協調および制御を提供し得る。ネットワークコントローラ１３０は、バックホールを介してｅＮＢと通信し得る。ｅＮＢはまた、例えば、ワイヤレスまたはワイヤーラインバックホールを介して直接的にまたは間接的に互いに通信し得る。
【００２２】
[0029]ＵＥ１２０（例えば、１２０ａ、１２０ｂ、１２０ｃ）は、ワイヤレスネットワーク１００全体にわたって分散され得、各ＵＥは、固定またはモバイルであり得る。ＵＥは、アクセス端末、端末、モバイル局、加入者ユニット、局、等とも称され得る。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、スマートフォン、ネットブック、スマートブック、ウルトラブック、等であり得る。図１において、両矢印を持つ実線は、ＵＥと、ダウンリンクおよび／またはアップリンク上でＵＥにサービングするために指定されたｅＮＢであるサービングｅＮＢとの間での所望の伝送を示す。両矢印を持つ破線は、ＵＥとｅＮＢとの間での潜在的に干渉する伝送を示す。
【００２３】
[0030]図２は、図１における基地局／ｅＮＢのうちの１つ、およびＵＥのうちの１つであり得る、基地局／ｅＮＢ１１０、およびＵＥ１２０の設計のブロック図を示す。基地局１１０は、Ｔ個のアンテナ２３４ａ〜２３４ｔが装備され得、ＵＥ１２０は、Ｒ個のアンテナ２５２ａ〜２５２ｒが装備され得、ここで一般的に、Ｔ≧１およびＲ≧１。
【００２４】
[0031]基地局１１０では、送信プロセッサ２２０は、１つ以上のＵＥのためにデータソース２１２からデータを受信し、ＵＥから受信されたＣＱＩに基づいてＵＥごとに１つ以上の変調およびコーディングスキーム（ＭＣＳ）を選択し、ＵＥのために選択された（１つまたは複数の）ＭＣＳに基づいてＵＥごとにデータを処理（例えば、符号化および変調）し、全てのＵＥにデータシンボルを提供し得る。送信プロセッサ２２０はまた、（例えば、ＳＲＰＩ、等のための）システム情報および制御情報（例えば、ＣＱＩ要求、許可、上位レイヤシグナリング、等）を処理し、オーバーヘッドシンボルおよび制御シンボルを提供し得る。プロセッサ２２０はまた、基準信号（例えば、ＣＲＳ）および同期信号（例えば、ＰＳＳおよびＳＳＳ）のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（例えば、プリコーディング）を行い得、Ｔ個の出力シンボルストリームをＴ個の変調器（ＭＯＤ）２３２ａ〜２３２ｔに提供し得る。各変調器２３２は、出力サンプルストリームを取得するために、（例えば、ＯＦＤＭ、等のために）それぞれの出力シンボルストリームを処理し得る。各変調器２３２は、ダウンリンク信号を取得するために、出力サンプルストリームをさらに処理（例えば、アナログに変換、増幅、フィルタリング、およびアップコンバート）し得る。変調器２３２ａ〜２３２ｔからのＴ個のダウンリンク信号は、それぞれ、Ｔ個のアンテナ２３４ａ〜２３４ｔを介して送信され得る。
【００２５】
[0032]ＵＥ１２０では、アンテナ２５２ａ〜２５２ｒは、基地局１１０および／または他の基地局からダウンリンク信号を受信し得、受信された信号をそれぞれ復調器（ＤＥＭＯＤ）２５４ａから２５４ｒに提供し得る。各復調器２５４は、入力サンプルを取得するために、その受信された信号を調整（例えば、フィルタリング、増幅、ダウンコンバート、およびデジタル化）し得る。各復調器２５４は、受信されたシンボルを取得するために、（例えば、ＯＦＤＭ、等のために）入力サンプルをさらに処理し得る。ＭＩＭＯ検出器２５６は、全てのＲ個の復調器２５４ａ〜２５４ｒから受信されたシンボルを取得し、適用可能な場合、受信されたシンボルに対してＭＩＭＯ検出を行い、検出されたシンボルを提供し得る。受信プロセッサ２５８は、検出されたシンボルを処理（例えば、復調および復号）し、ＵＥ１２０のために復号されたデータをデータシンク２６０に提供し、そして復号された制御情報およびシステム情報をコントローラ／プロセッサ２８０に提供し得る。チャネルプロセッサは、ＲＳＲＰ、ＲＳＳＩ、ＲＳＲＱ、ＣＱＩ、等を決定し得る。
【００２６】
[0033]アップリンク上では、ＵＥ１２０で、送信プロセッサ２６４が、データソース２６２からデータ、およびコントローラ／プロセッサ２８０から（例えば、ＲＳＲＰ、ＲＳＳＩ、ＲＳＲＱ、ＣＱＩ、等を備える報告のための）制御情報を受信し処理し得る。プロセッサ２６４はまた、１つ以上の基準信号のための基準シンボルを生成し得る。送信プロセッサ２６４からのシンボルは、適用可能な場合、ＴＸ  ＭＩＭＯプロセッサ２６６によってプリコーディングされ、（例えば、ＳＣ−ＦＤＭ、ＯＦＤＭ、等のための）変調器２５４ａ〜２５４ｒによってさらに処理され、基地局１１０に送信され得る。基地局１１０では、ＵＥ１２０および他のＵＥからのアップリンク信号は、アンテナ２３４によって受信され、復調器２３２によって処理され、適用可能な場合、ＭＩＭＯ検出器２３６によって検出され、そしてＵＥ１２０によって送られた、復号されたデータおよび制御情報を取得するために、受信プロセッサ２３８によってさらに処理され得る。プロセッサ２３８は、復号されたデータをデータシンク２３９に、および復号された制御情報をコントローラ／プロセッサ２４０に提供し得る。基地局１１０は、通信ユニット２４４を含み、通信ユニット２４４を介してネットワークコントローラ１３０に通信し得る。ネットワークコントローラ１３０は、通信ユニット２９４、コントローラ／プロセッサ２９０、およびメモリ２９２を含み得る。
【００２７】
[0034]コントローラ／プロセッサ２４０および２８０は、それぞれ、基地局１１０およびＵＥ１２０での動作を指示し得る。例えば、基地局１１０でのプロセッサ２４０ならびに／あるいは他のプロセッサおよびモジュールは、図８に示されている直接動作（direct operations）８００を行い得る。同様に、ＵＥ１２０でのプロセッサ２８０ならびに／あるいは他のプロセッサおよびモジュールは、図７に示されている動作７０００を行う、または支持し得る。メモリ２４２および２８２は、それぞれ、基地局１１０およびＵＥ１２０のためのデータおよびプログラムコードを記憶し得る。スケジューラ２４６は、ダウンリンクおよび／またはアップリンク上でのデータ送信のためにＵＥをスケジューリングし得る。
【００２８】
[0035]図３は、ＬＴＥにおけるＦＤＤのための例示的なフレーム構造３００を示す。ダウンリンクおよびアップリンクの各々のための送信タイムラインは、無線フレームの単位に区分され得る。各無線フレームは、既定の持続時間（例えば、１０ミリ秒（ｍｓ））を有し得、０〜９のインデックスを持つ１０個のサブフレームに区分され得る。各サブフレームは、２つのスロットを含み得る。各無線フレームは、次に、０〜１９のインデックスを持つ２０個のスロットを含み得る。各スロットは、Ｌ個のシンボル期間、例えば、（図３に示されているような）通常のサイクリックプレフィックスのために７つのシンボル期間、または拡張されたサイクリックプレフィックスのために６つのシンボル期間、を含み得る。各サブフレームにおける２Ｌ個のシンボル期間は、０〜２Ｌ−１のインデックスを割り当てられ得る。
【００２９】
[0036]ＬＴＥにおいて、ｅＮＢは、ｅＮＢによってサポートされるセルごとに、システム帯域幅の中心においてダウンリンク上でプライマリ同期信号（ＰＳＳ）３０２およびセカンダリ同期信号（ＳＳＳ）３０４を送信し得る。ＰＳＳ３０２およびＳＳＳ３０４は、図３に示されているように、通常のサイクリックプレフィックスを持つ各無線フレームのサブフレーム０および５におけるシンボル期間６および５においてそれぞれ送信され得る。ＰＳＳ３０２およびＳＳＳ３０４は、セル探索および獲得のためにＵＥによって使用され得、情報の中でもとりわけ、複信モードのインジケーションとともにセルＩＤを包含し得る。複信モードのインジケーションは、セルが時分割複信（ＴＤＤ）フレーム構造を利用するか、周波数分割複信（ＦＤＤ）フレーム構造を利用するかどうかを示し得る。ｅＮＢは、ｅＮＢによってサポートされるセルごとに、システム帯域幅にわたってセル特有の基準信号（ＣＲＳ）３０６を送信し得る。ＣＲＳ３０６は、各サブフレームのある特定のシンボル期間において送信され得、チャネル推定、チャネル品質測定、および／または他の機能を行うためにＵＥによって使用され得る。ｅＮＢはまた、ある特定の無線フレームのスロット１におけるシンボル期間０〜３において物理ブロードキャストチャネル（ＰＢＣＨ）３０８を送信し得る。ＰＢＣＨ３０８は、何らかのシステム情報を搬送し得る。ｅＮＢは、ある特定のサブフレームにおける物理ダウンリンク共有チャネル（ＰＤＳＣＨ）上でシステム情報ブロック（ＳＩＢ）のような他のシステム情報を送信し得る。ｅＮＢは、サブフレームの最初のＢ個のシンボル期間において物理ダウンリンク制御チャネル（ＰＤＣＣＨ）上で制御情報／データを送信し得、ここで、Ｂは、サブフレームごとに構成可能であり得る。ｅＮＢは、各サブフレームの残りのシンボル期間においてＰＤＳＣＨ上でトラフィックデータおよび／または他のデータを送信し得る。
【００３０】
[0037]図４は、通常のサイクリックプレフィックスを持つ２つの例示的なサブフレームフォーマット４１０および４２０を示す。サブフレーム４３０は、制御領域４４０およびデータ領域４５０を含み得る。利用可能な時間周波数リソースは、リソースブロックに区分され得る。各リソースブロックは、１つのスロットにおいて１２個のサブキャリア４６０をカバーし得、いくつかのリソース要素を含み得る。各リソース要素は、１つのシンボル期間において１つのサブキャリアをカバーし得、１つの変調シンボルを送るために使用され得、それは、実数値または複素数値であり得る。
【００３１】
[0038]サブフレームフォーマット４１０は、２つのアンテナのために使用され得る。ＣＲＳは、シンボル期間０、４、７、および１１においてアンテナ０および１から送信され得る。基準信号は、送信機および受信機によってアプリオリ（a priori）に既知である信号であり、パイロットとも称され得る。ＣＲＳは、例えば、セル識別子（ＩＤ）に基づいて生成される、セルに特有である基準信号である。図４において、ラベルＲａを持つ所与のリソース要素のために、変調シンボルは、アンテナａからそのリソース要素上で送信され得、いずれの変調シンボルも、他のアンテナからそのリソース要素上で送信されない可能性がある。サブフレームフォーマット４２０は、４つのアンテナとともに使用され得る。ＣＲＳは、シンボル期間０、４、７および１１においてアンテナ０および１から、ならびに、シンボル期間１および８においてアンテナ２および３から、送信され得る。サブフレームフォーマット４１０および４２０の両方のために、ＣＲＳは、セルＩＤに基づいて決定され得る、均等に間隔が空けられたサブキャリア上で送信され得る。ＣＲＳは、それらのセルＩＤに依存して、同じまたは異なるサブキャリア上で送信され得る。サブフレームフォーマット４１０および４２０の両方のために、ＣＲＳのために使用されないリソース要素は、データ（例えば、トラフィックデータ、制御データ、および／または他のデータ）を送信するために使用され得る。
【００３２】
[0039]ＬＴＥにおけるＰＳＳ、ＳＳＳ、ＣＲＳ、およびＰＢＣＨは、「Evolved Universal Terrestrial Radio Access (E-UTRA); Physical Channels and Modulation」と題する、３ＧＰＰ  ＴＳ３６．２１１で説明されており、それは公的に入手可能である。
【００３３】
[0040]インタレース構造は、ＬＴＥにおけるＦＤＤのためのダウンリンクおよびアップリンクの各々のために使用され得る。例えば、０〜Ｑ−１のインデックスを持つＱ個のインタレースが定義され得、ここで、Ｑは、４、６、８、１０、または何らかの他の値に等しくあり得る。各インタレースは、Ｑ個のフレームだけ空間を空けられたサブフレームを含み得る。具体的には、インタレースｑは、サブフレームｑ、ｑ＋Ｑ、ｑ＋２Ｑ、等を含み得、ここで、ｑ∈｛０、．．．、Ｑ−１｝。
【００３４】
[0041]ワイヤレスネットワークは、ダウンリンクおよびアップリンク上でのデータ送信のためにハイブリッド自動再送要求（ＨＡＲＱ）をサポートし得る。ＨＡＲＱのために、送信機（例えば、ｅＮＢ）は、パケットが受信機（例えば、ＵＥ）によって正確に復号されるか、または何らかの他の終了条件に遭遇するまで、パケットの１つ以上の送信を送り得る。同期ＨＡＲＱのために、パケットの全ての送信は、単一のインタレースのサブフレームにおいて送られ得る。同期ＨＡＲＱのために、パケットの各送信は、任意のサブフレームにおいて送られ得る。
【００３５】
[0042]ＵＥは、複数のｅＮＢのカバレッジ内に位置し得る。これらｅＮＢのうちの１つは、ＵＥにサービングするために選択され得る。サービングｅＮＢは、受信された信号強度、受信された信号品質、パスロス、等のような様々な基準に基づいて選択され得る。受信された信号品質は、信号対雑音および干渉比（ＳＩＮＲ）、または基準信号受信品質（ＲＳＲＱ）、あるいは何らかの他のメトリックによって定量化され得る。ＵＥは、ＵＥが１つ以上の干渉ｅＮＢからの高い干渉を観測し得る支配的な干渉シナリオ（dominant interference scenario）において動作し得る。
【００３６】
[0043]マルチメディアブロードキャスト単一周波数ネットワーク（ＭＢＳＦＮ）における発展型マルチメディアブロードキャストおよびマルチキャストサービス（ｅＭＢＭＳ）は、ＭＢＳＦＮエリアを形成するためにセルにおけるｅＮＢによって形成され得る。ｅＮＢは、例えば、合計８つのＭＢＳＦＮエリアまで、複数のＭＢＳＦＮエリアと関連付けられ得る。ＭＢＳＦＮエリアにおける各ｅＮＢは、同じｅＭＢＭＳ制御情報およびデータを同時に送信する。各エリアは、ブロードキャスト、マルチキャスト、およびユニキャストサービスをサポートし得る。ユニキャストサービスは、特定のユーザを対象としたサービス、例えば、ボイスコール、である。マルチキャストサービスは、ユーザのグループによって受信され得るサービス、例えば加入者ビデオサービス、である。ブロードキャストサービスは、全てのユーザによって受信され得るサービス、例えばニュースブロードキャスト、である。よって、第１のＭＢＳＦＮエリアは、特定のニュースブロードキャストをＵＥに提供することによるような、第１のｅＭＢＭＳブロードキャストサービスをサポートし得、第２のＭＢＳＦＮエリアは、異なるニュースブロードキャストを第２のＵＥに提供することによるような、第２のｅＭＢＭＳブロードキャストサービスをサポートし得る。各ＭＢＳＦＮエリアは、複数の物理マルチキャストチャネル（ＰＭＣＨ）（例えば、１５個のＰＭＣＨ）をサポートする。
【００３７】
[0044]各ＰＭＣＨは、マルチキャストチャネル（ＭＣＨ）に対応する。各ＭＣＨは、複数（例えば、２９個）のマルチキャスト論理チャネルを多重化し得る。各ＭＢＳＦＮエリアは、１つのマルチキャスト制御チャネル（ＭＣＣＨ）を有し得る。そのようなものとして、１つのＭＣＨは、１つのＭＣＣＨおよび複数のマルチキャストトラフィックチャネル（ＭＴＣＨ）を多重化し得、残りのＭＣＨは、複数のＭＴＣＨを多重化し得る。
【００３８】
[0045]ＭＢＳＦＮ情報を搬送するように構成されたサブフレームは、セルのダイバーシティモードに依存して変化することができる。一般的に、ＭＢＳＦＮは、ＵＥへのＤＬのためだけに利用可能なもの、および特別なサブフレームを除く全てのサブフレームにおいて搬送されることができる。例えば、セルがＦＤＤのために構成される場合、ＭＢＳＦＮは、０、４、５、および９を除く全てのサブフレームにおいて構成され得る。ＴＤＤ動作の場合、サブフレーム１および６が特別なサブフレームであり、かつサブフレーム０および５がＴＤＤにおけるＤＬサブフレームであるとき、ＭＢＳＦＮは、０、１、５、および６を除く全てのサブフレームにおいて構成され得る。
【００３９】
[0046]（例えば、レガシ「非ＭＴＣ（non MTC）」デバイスのための）従来のＬＴＥ設計の焦点は、スペクトル効率の改善、ユビキタスカバレッジ、および強化されたサービス品質（ＱｏＳ）サポートに対するものである。現在のＬＴＥシステムダウンリンク（ＤＬ）およびアップリンク（ＵＬ）リンクバジェットは、最先端のスマートフォンおよびタブレットのような、高性能デバイスのカバレッジのために設計され、それらは、比較的大きいＤＬおよびＵＬリンクバジェットをサポートし得る。
【００４０】
[0047]しかしながら、低コスト、低レートのデバイスも同様にサポートされる必要がある。例えば、ある特定の規格（例えば、ＬＴＥリリース１２）は、一般的に低コスト設計またはマシンタイプ通信をターゲットにする（カテゴリ０ ＵＥと称される）新しいタイプのＵＥを導入している。マシンタイプ通信（ＭＴＣ）のために、限られた量の情報だけが交換される必要があり得るため、様々な要件は、緩和され得る。例えば、最大の帯域幅が、（レガシＵＥに関連して）低減され得、単一受信無線周波数（ＲＦ）チェーンが、使用され得、ピークレートが、（例えば、トランスポートブロックサイズのために最大１００ビット）低減され得、送信電力が、低減され得、ランク１送信が、使用され得、半複信動作が、行われ得る。
【００４１】
[0048]何らかの場合において、半複信動作が行われる場合、ＭＴＣ  ＵＥは、送信から受信へ（または受信から送信へ）移行するために緩和された切り替え時間を有し得る。例えば、切り替え時間は、標準のＵＥのための２０μｓからＭＴＣ  ＵＥのための１ｍｓに緩和され得る。リリース１２  ＭＴＣ  ＵＥは、例えば、最初の数個のシンボルにおける広帯域制御チャネル（例えば、ＰＤＣＣＨ）と、比較的狭い帯域を占有するが１つのサブフレームの長さに及ぶ狭帯域制御チャネル（例えば、ｅＰＤＣＣＨ）とをモニタする標準のＵＥと同じ方法でダウンリンク（ＤＬ）制御チャネルを常に（still）モニタし得る。
【００４２】
[0049]何らかのシステムにおいて、例えば、ＬＴＥ  Ｒｅｌ−１３において、ＭＴＣは、利用可能なシステム帯域幅内で（例えば、わずか６つのリソースブロック（ＲＢ）の）特定の割り当てられた狭帯域サービス帯域幅に制限され得る。しかしながら、ＭＴＣは、例えば、ＬＴＥシステム内で共存するために、ＬＴＥシステムの利用可能なシステム帯域幅内で異なる狭帯域領域に再びチューニングする（re-tune）（例えば、動作するおよび／またはとどまる（camp））ことが可能であり得る。
【００４３】
[0050]ＬＴＥシステム内での共存の別の例として、ＭＴＣは、レガシ物理ブロードキャストチャネル（ＰＢＣＨ）（例えば、一般的に、セルへの初期アクセス（initial access）のために使用され得るパラメータを搬送するＬＴＥ物理チャネル）を（繰り返して（with repetition））受信し、１つ以上のレガシ物理ランダムアクセスチャネル（ＰＲＡＣＨ）フォーマットをサポートすることが可能であり得る。例えば、ＭＴＣは、複数のサブフレームにわたってＰＢＣＨの１つ以上の追加の繰り返しを伴ってレガシＰＢＣＨを受信することが可能であり得る。別の例として、ＭＴＣは、（例えば、サポートされた１つ以上のＰＲＡＣＨフォーマットで）ＰＲＡＣＨの１つ以上の繰り返しをＬＴＥシステムにおけるｅＮＢに送信することが可能であり得る。ＰＲＡＣＨは、ＭＴＣを識別するために使用され得る。また、繰り返されるＰＲＡＣＨ試み（PRACH attempts）の数は、ｅＮＢによって構成され得る。
【００４４】
[0051]ＭＴＣはまた、リンクバジェットが制限されたデバイス（link budget limited device）であり得、そのリンクバジェット制限に基づく（例えば、ＭＴＣに送信された異なる量の繰り返されたメッセージを伴う）動作の異なるモードで動作し得る。例えば、何らかの場合において、ＭＴＣは、繰り返しが皆無かそれに近い通常のカバレッジモードで動作し得る（すなわち、ＵＥがメッセージを成功裏に（successfully）受信するのに必要とされる繰り返しの量は、低くあり得る、または繰り返しは、必要とされてさえいない可能性がある）。
【００４５】
[0052]何らかの場合において、ＭＴＣは、大量の繰り返しがあり得るカバレッジ強化（ＣＥ）モードで動作し得る。カバレッジ強化技法の例は、サブフレーム内の繰り返し、異なるサブフレームにわたる繰り返し、様々なチャネルの繰り返し、電力ブースト、および空間多重化を含み得る。例えば、３２８ビットペイロードのために、ＣＥモードにおけるＭＴＣは、ペイロードを成功裏に受信するためにペイロードの１５０以上の繰り返しを必要とし得る。
【００４６】
[0053]何らかの場合において、例えば、ＬＴＥ  Ｒｅｌ−１３についても、ＭＴＣは、ブロードキャストおよびユニキャスト送信のそれの受信に関して制限された能力を有し得る。例えば、ＭＴＣによって受信されるブロードキャスト送信のための最大のトランスポートブロック（ＴＢ）サイズは、１０００ビットに制限され得る。また、何らかの場合において、ＭＴＣは、１つのサブフレームにおいて１つ以上のユニキャストＴＢを受信することができない可能性がある。何らかの場合において（例えば、上記に説明されたＣＥモードと通常のモードとの両方について）、ＭＴＣは、１つのサブフレームにおいて１つ以上のブロードキャストＴＢを受信することができない可能性がある。さらに、何らかの場合において、ＭＴＣは、１つのサブフレームにおいてユニキャストＴＢとブロードキャストＴＢとの両方を受信することができない可能性がある。
【００４７】
[0054]ＬＴＥシステムにおいて共存するＭＴＣはまた、ページング、ランダムアクセスプロシージャ、等のような、ある特定のプロシージャのための新たなメッセージをサポートし得る（例えば、これらのプロシージャのためにＬＴＥにおいて使用される従来のメッセージとは対照的に）。言い換えれば、ページング、ランダムアクセスプロシージャ、等のためのこれらの新たなメッセージは、非ＭＴＣと関連付けられる類似のプロシージャのために使用されるメッセージから分離され得る。例えば、ＬＴＥにおいて使用される従来のページングメッセージと比べて、ＭＴＣは、非ＭＴＣがモニタおよび／または受信することが可能でない可能性があるページングメッセージをモニタおよび／または受信することが可能であり得る。同様に、従来のランダムアクセスプロシージャにおいて使用される従来のランダムアクセス応答（ＲＡＲ）メッセージと比べて、ＭＴＣは、非ＭＴＣによって受信されることが可能でない可能性もあるＲＡＲメッセージを受信することが可能であり得る。ＭＴＣと関連付けられる新たなページングおよびＲＡＲメッセージも、１回以上繰り返され（例えば、「バンドリングされ」）得る。さらに、新たなメッセージのための異なる数の繰り返し（例えば、異なるバンドリングサイズ）は、サポートされ得る。
【００４８】
[0055]図５は、本開示のある特定の態様にしたがう、ＬＴＥのような、広帯域システム内でのＭＴＣ共存のための制御シグナリングの例を例示する。示されているように、ＰＳＳ／ＳＳＳ５０２信号を受信および処理した後、ｅＮＢは、セルと同期され、ＰＢＣＨ５０４を受信し得る。ＰＳＳ／ＳＳＳ信号は、例えば、５ｍｓの周期性を有し得る。ＰＢＣＨ５０４は、セル帯域幅、アンテナ構成、システムフレーム番号（ＳＦＮ）、またはｅＰＤＣＣＨスケジューリング情報のような、システムおよびスケジューリング情報を含む情報を搬送する、マスタ情報ブロック（ＭＩＢ）を包含し得、例えば、１０ｍｓの周期性を有し得る。ＭＩＢを包含したスケジューリング情報を使用して、ｅＮＢは、サブフレーム全体の長さに及ぶ、強化された物理ダウンリンク制御チャネル（ｅＰＤＣＣＨ）を受信することが可能であり得る。ｅＰＤＣＣＨは同様に、ＭＴＣ特有のシステム情報ブロック（ＭＴＣ＿ＳＩＢ）５０８にスケジュールを提供する。ＭＴＣ＿ＳＩＢ５０８は、ＴＤＤ構成ならびにＭＢＳＦＮ情報を含む本質的なセル構成を包含し、例えば、８０ｍｓの周期性を有し得る。
【００４９】
[0056]上記に説明されたように、ＭＴＣおよび／またはＭＴＣ動作は、（例えば、ＬＴＥまたは何らかの他のＲＡＴと共存する）ワイヤレス通信ネットワークにおいてサポートされ得る。図６Ａおよび６Ｂは、例えば、ＭＴＣ動作におけるＭＴＣが、ＬＴＥのような、広帯域システム内でどのようにして共存し得るかの例を例示する。
【００５０】
[0057]図６Ａの例示的なフレーム構造６００Ａに例示されているように、ＭＴＣおよび／またはＭＴＣ動作６０２Ａと関連付けられるサブフレームは、より広いシステム帯域幅（例えば、１．４／３／５／１０／１５／２０ＭＨｚ）において動作するＬＴＥ（または何らかの他のＲＡＴ）６０４Ａと関連付けられる標準のサブフレームを持つ時分割多重（ＴＤＭ）であり得る。加えて、または代替として、図６Ｂの例示的なフレーム構造において例示されているように、ＭＴＣ動作においてＭＴＣによって使用される１つ以上の狭帯域領域６０２Ｂおよび６０４Ｂは、ＬＴＥによってサポートされるより広い帯域幅内の周波数分割多重であり得る。
【００５１】
[0058]合計６つのＲＢ以下である帯域幅に及ぶ各狭帯域領域を持つ、複数の狭帯域領域は、ＭＴＣおよび／またはＭＴＣ動作のためにサポートされ得る。何らかの場合において、ＭＴＣ動作における各ＭＴＣは、一度に１つの狭帯域領域内で（例えば、１．４ＭＨｚまたは６つのＲＢで）動作し得る。ＭＴＣ動作におけるＭＴＣはまた、任意の所与の時間で、より広いシステム帯域幅における他の狭帯域領域に再びチューニングし得る。何らかの例において、複数のＭＴＣは、同じ狭帯域領域によってサービングされ得る。他の例において、複数のＭＴＣは、（例えば、６つのＲＢに及ぶ各狭帯域領域を持つ）異なる狭帯域領域によってサービングされ得る。さらに他の例において、ＭＴＣの異なる組み合わせは、１つ以上の同じ狭帯域領域および／または１つ以上の異なる狭帯域領域によってサービングされ得る。
【００５２】
[0059]ＭＴＣは、様々な異なる動作のために狭帯域領域内で動作（例えば、モニタ／受信／送信）し得る。例えば、図６Ｂに示されているように、サブフレーム６０４Ｂの（例えば、広帯域データのわずか６つのＲＢに及ぶ）第１の狭帯域領域６０２Ｂは、ワイヤレス通信ネットワークにおけるＢＳからのページング送信か、またはＰＳＳ、ＳＳＳ、ＰＢＣＨ、ＭＴＣシグナリングかのいずれかのために１つ以上のＭＴＣによってモニタされ得る。ＭＴＣシグナリングは、ＭＴＣ特有の信号またはチャネルを備え得る。例えば、ＭＴＣ  ＵＥの構成は、ＭＴＣをターゲットにするＭＴＣシステム情報ブロック（ＭＴＣ＿ＳＩＢ）を使用して達成され得る。ＭＴＣ＿ＳＩＢは、ｅＰＤＤＣＨにおいてさらにバンドリングされ得る。図６Ｂにも示されているように、サブフレーム６０４Ｂの（例えば、広帯域データのわずか６つのＲＢにも及ぶ）第２の狭帯域領域６０６Ｂは、ＢＳから受信されたシグナリングにおいて以前に構成されたデータまたはＲＡＣＨを送信するためにＭＴＣによって使用され得る。何らかの場合において、第２の狭帯域領域６０６Ｂは、第１の狭帯域領域６０２Ｂを利用した同じＭＴＣによって利用され得る（すなわち、ＭＴＣは、第１の狭帯域領域６０２Ｂにおいてモニタした後送信するために第２の狭帯域領域６０６Ｂに再びチューニングしている可能性がある）。（示されていないが）何らかの場合において、第２の狭帯域領域６０６Ｂは、第１の狭帯域領域６０２Ｂを利用したＭＴＣとは異なるＭＴＣによって利用され得る。
【００５３】
[0060]本明細書に説明される例は、６つのＲＢＳの狭帯域を仮定するが、当業者は、本明細書に提示される技法が異なるサイズの狭帯域領域にも適用され得ることを理解するであろう。
【００５４】
[0061]ある特定のシステム（例えば、ロングタームエボリューション（ＬＴＥ）リリース８またはそれより最新のもの）において、送信時間インターバル（ＴＴＩ）バンドリング（例えば、サブフレームバンドリング）は、ＵＥごとのベースで構成されることができる。ＭＴＣデバイスのような、制限された通信リソースを有するデバイスは、制限されたダイバーシティを有し得る。例えば、制限された通信リソースを有するデバイスは、空間ダイバーシティを制限し得る単一の受信機を有し得る。これらのデバイスは、時間ダイバーシティを制限し得る制限されたモビリティを有し得る、またはモビリティを有さない可能性がある。さらに、これらのデバイスは、周波数ダイバーシティを制限し得る狭帯域割り当てに制限され得る。
【００５５】
[0062]ある特定の実施において、増大したダイバーシティは、周波数ホッピングを使用して制限された通信リソースを持つデバイスのために達成され得る。すなわち、ＭＴＣデバイスが通信する周波数は、周期的に変化し得る。例えば、バーストは、セル間干渉のランダム化を可能にし得るセルＩＤの機能として代替の周波数（ペアホッピング（paired hopping））または周波数ホッピング上で送信され得る。この周波数ホップ設計（frequency hopped design）は、異なるバンドルサイズを可能にする。各ＲＢペアは、同じサイズのバンドルを使用して周波数ホッピングし得、ここで、異なるＲＢが異なるバンドリングサイズをサポートし得る。例えば、ＲＢ０とＲＢ１０との間のホッピングは、１６のバンドルサイズを有し得、一方ＲＢ１とＲＢ１１との間のホッピングは、バンドルサイズ６４であり得る。
【００５６】
[0063]単一の受信機を持つデバイスのために、成功した通信は、信号対雑音比（ＳＮＲ）要件の増加を要求し得る。リンクバジェットが制限されたデバイスのために、増加するＳＮＲ要件は、大きいバンドリングサイズの使用を伴い得る。カバレッジ強化を持つＭＴＣデバイスのために、最大の結合損失の１５５．７ｄＢまでは、ＭＴＣ＿ＳＩＢサイズに依存して、８０と１６０との間のバンドリングサイズでサポートされることを必要とし得る。例えば、３および６つのリソースブロックのＭＣＳ、３２８のトランスポートブロックサイズを持つＰＳＤＣＨのために、ターゲットＳＮＲは、１５６．３５ｄＢの結合損失を持つ、−１４．９ｄＢであり得、８０個の送信が必要とされ、４０個が２ホップおよびサイクリングでバンドリングされる。１０００のトランスポートブロックサイズを持つＰＳＤＣＨ、−１４．３ｄＢのターゲットＳＮＲを持つ１０および６個のＲＢのＭＣＳ、１５５．７５ｄＢの結合損失は、４０個のバンドル、４ホップおよびサイクリングを持つ１６０個の送信を要求され得る。
【００５７】
[0064]ｅＭＢＭＳを持つＭＢＳＦＮのために構成されたシステムにおいて、ある特定のサブフレームだけが、ＵＥへのＤＬトラフィックのために予約され、他のサブフレームは全て、ＭＢＳＦＮ情報のために構成され得る。例えば、ＦＤＤについて、サブフレーム０、４、５、および９、ならびにＴＤＤについて、サブフレーム０、１、５、および６は、ＵＥへのＤＬトラフィックのために予約される。しかしながら、ｅＰＤＣＣＨ、ＰＳＳ／ＳＳＳ、ＳＩＢ、および繰り返されたＰＢＣＨは全て、サブフレームの中心の６つのＲＢにおいて送信される。結果として、リソースは、制限され、それは、どこでＳＩＢが送信され得るかを決定することを困難にし得る。ＳＩＢを位置づけることにおけるこの困難は、ＳＩＢがＭＢＳＦＮ情報を包含するためさらに悪化し、よってＳＩＢが復号される前、ｅＭＢＭＳ構成もまた未知である。  
マシンタイプ通信のための制御チャネル設計
【００５８】
[0065]上述のように、本開示の態様は、ワイヤレス通信ネットワークにおける他の（非ＭＴＣ）デバイスと比べて、システム帯域幅全体の比較的狭い帯域を使用してマシンタイプ通信（ＭＴＣ）デバイスに制御情報をシグナリングするための技法を提供する。
【００５９】
[0066]図７は、ユーザ機器によって行われ得る例示的な動作７００を例示する。動作７００は、７０２で始まり得、ここで、例えば、図２に例示されているユーザ端末１２０の受信プロセッサ２５８および／またはコントローラ／プロセッサ２８０のような、１つ以上のプロセッサは、バンドリングされた送信上でマシンタイプ通信のためのシステム情報を受信するためのロケーションを決定する。７０４では、ユーザ端末１２０の１つ以上のプロセッサは、バンドリングされた送信上でのロケーションで受信されたシステム情報を復号する。
【００６０】
[0067]動作７００において、ロケーションの決定は、ＵＥによってサポートされる１つ以上のサービスに、少なくとも部分的に、依存し得る。動作７００において、ＵＥによってサポートされるサービスは、サービス帯域幅に、少なくとも部分的に、依存し得る。動作７００において、ロケーションの決定は、ＵＥがマルチキャストブロードキャストメディアサービス（ＭＢＭＳ）をサポートするかどうかに、少なくとも部分的に、依存し得る。動作７００において、決定は、ブロードキャスト送信においてＵＥに提供されるＭＢＭＳ構成に基づき得る。動作７００において、決定することは、ロケーションを示すスケジューリング情報を持つＭＴＣ特有の制御チャネルを復号することを備える決定することを備え得る。動作７００において、ユーザ端末１２０の１つ以上のプロセッサは、ＭＴＣ特有の制御チャネルがＵＥに提供されるＭＢＭＳ構成情報に基づいて送信され得る１つ以上のサブフレームを決定し得る。動作７００において、ロケーションを決定することは、システム情報の送信のための１つ以上の固定のロケーションを決定することを備え得る。動作７００において、ロケーションを決定することは、システム情報の送信のための１つ以上の固定の時間を決定することを備え得る。動作７００において、システム情報のコンテンツは、バンドリングされた送信の期間にわたって固定され得る。動作７００において、システム情報のための変調およびコーディングスキーム（ＭＣＳ）または冗長バージョン（ＲＶ）のうちの少なくとも１つは、バンドリングされた送信の期間にわたって固定され得る。動作７００は、次のバンドリングされた送信のためにシステム情報のためのロケーション、コンテンツ、ＭＣＳ、またはＲＶのうちの少なくとも１つの変更のインジケーションを受信することをさらに備え得る。
【００６１】
[0068]図８は、基地局によって行われ得る例示的な動作８００を例示する。動作８００は、８０２で始まり得、ここで、例えば、図２に例示されている基地局１１０の送信プロセッサ２２０および／またはコントローラ／プロセッサ２４０のような、１つ以上のプロセッサによって、バンドリングされた送信上でマシンタイプ通信（ＭＴＣ）のためのシステム情報をユーザ機器（ＵＥ）に送信するための１つ以上のロケーションを決定する。８０４では、基地局１１０の１つ以上のプロセッサは、バンドリングされた送信上でのロケーションでシステム情報を送信する。
【００６２】
[0069]動作８００において、ロケーションの決定は、ＵＥによってサポートされる１つ以上のサービスに、少なくとも部分的に、依存し得る。動作８００において、ＵＥによってサポートされるサービスは、サービス帯域幅に、少なくとも部分的に、依存し得る。動作８００において、ロケーションの決定は、ＵＥがマルチキャストブロードキャストメディアサービス（ＭＢＭＳ）をサポートするかどうかに、少なくとも部分的に、依存し得る。動作８００において、決定は、ブロードキャスト送信においてＵＥに提供されるＭＢＭＳ構成に基づき得る。動作８００は、ロケーションを示すスケジューリング情報を持つＭＴＣ特有の制御チャネルを、ＵＥに、送信することをさらに備え得る。動作８００は、ＭＴＣ特有の制御チャネルが、ＵＥに提供されるＭＢＭＳ構成情報に基づいて送信され得る１つ以上のサブフレームを決定することをさらに備え得る。動作８００において、ロケーションを決定することは、システム情報の送信のための１つ以上の固定のロケーションを決定することを備え得る。動作８００において、ロケーションを決定することは、システム情報の送信のための１つ以上の固定の時間を決定することを備え得る。動作８００において、システム情報のための変調およびコーディングスキーム（ＭＣＳ）または冗長バージョン（ＲＶ）のうちの少なくとも１つは、バンドリングされた送信の期間にわたって固定され得る。動作８００は、次のバンドリングされた送信のためにシステム情報のためのコンテンツ、ＭＣＳ、またはＲＶのうちの少なくとも１つの変更のインジケーションを、ＵＥに、送信することをさらに備え得る。
【００６３】
[0070]セル探索および獲得の間、ＭＴＣデバイスは、ワイヤレスノードによって送信されたＰＳＳ／ＳＳＳ信号を検出し得る。上記に示されているように、ＰＳＳ／ＳＳＳ信号は、セルＩＤ、ならびにセルの複信モード（例えば、ＦＤＤまたはＴＤＤモード）のインジケーションを包含し得る。時間同期の後、ＰＢＣＨは位置付けられ、セル帯域幅およびアンテナ構成を抽出するために復号される。セル帯域幅に基づいて、ネットワーク上で利用可能なサービスについてのある特定の決定は、決定され得る。例えば、カバレッジ強化を持つＭＴＣとｅＭＢＭＳとの両方をサポートするためのネットワークのために、ネットワークは、３ＭＨｚより大きい帯域幅を有する必要がある。１．４ＭＨｚまたは３ＭＨｚの帯域幅を持つネットワークが、カバレッジ強化を持つＭＴＣとｅＭＢＭＳとの両方をサポートすることができないため、見込まれるｅＭＢＭＳサブフレーム構成に基づくＭＴＣ＿ＳＩＢ制限の必要性はない。しかしながら、３ＭＨｚ未満の帯域幅を持つネットワークは、カバレッジ強化を持たないＭＴＣおよびｅＭＢＭＳを用いて構成され得、帯域幅にかかわらずサポートされる。
【００６４】
[0071]新たなＭＴＣ＿ｅＰＤＣＣＨは、カバレッジ強化を持つＭＴＣおよびｅＭＢＭＳをサポートするネットワークのためのＭＴＣ＿ＳＩＢをスケジューリングすることを定義され得る。このＭＴＣ＿ｅＰＤＣＣＨは、ＭＴＣデバイスと関連付けられる、ＲＡＲメッセージ、ページング、ＭＴＣ＿ＳＩＢをスケジューリングすることをサポートするために定義された共通の探索空間を持つｅＰＤＣＣＨに基づくＭＴＣ特有の制御チャネルであり得る。このＭＴＣ＿ｅＰＤＣＣＨは、ｅＭＢＭＳために構成される可能性がないサブフレーム（すなわち、ＦＤＤサブフレーム０／４／５／９およびＴＤＤサブフレーム０／１／５／６）の全て、またはサブセットにおいて送信され得る。そのようなものとして、ＭＴＣ＿ｅＰＤＣＣＨは、最悪のｅＭＢＭＳ構成がネットワークのために使用されると仮定する。
【００６５】
[0072]ある特定の態様にしたがって、ＭＴＣ＿ｅＰＤＣＣＨは、ＰＢＣＨとともにバンドリングされ、両方がサブフレームの中心の６つのＲＢにおいて送信され得る。ＦＤＤおよびＴＤＤシステム間の共通性を維持するために、バンドリングされたＰＢＣＨは、サブフレーム０および５において送信され得る。バンドリングされたＭＴＣ＿ｅＰＤＣＣＨは次に、ＦＤＤシステムのためにサブフレーム４および／または９、ならびにＴＤＤシステムのためにサブフレーム１および／または６において送信されることができる。
【００６６】
[0073]ＴＤＤシステムについて、サブフレーム１は、特別なサブフレームであり、サブフレーム６は、ＵＬ／ＤＬ構成に依存する特別なサブフレームであり得る。サブフレーム６が特別なサブフレームである可能性があるため、または可能性がないため、サブフレーム６がＭＴＣ＿ｅＰＤＣＣＨ送信のために使用され得る場合、サブフレーム６が、ネットワークのＴＤＤサブフレーム構成がＭＴＣ＿ＳＩＢ復号より前に未知であるような特別なサブフレームであると仮定するように、ＭＴＣデバイスは構成され得る。ここで、ＴＤＤサブフレーム６は、ＭＴＣ＿ｅＰＤＣＣＨのために構成され、特別なサブフレームのいくつかの制限は、サブフレームにおいて十分なＤＬシンボルがあるのを確実にするために適用され得る。例えば、特別なサブフレームが、利用可能である少なくとも９つのＤＬシンボルを有することを確実にすることが必要であり得る。
【００６７】
[0074]何らかの実施形態において、ＴＤＤおよびＦＤＤシステム間の共通性は、必ずしも維持される必要はなく、ＭＴＣ＿ＳＩＢは、ＦＤＤのための０、４、５、および９サブフレームのサブセットまたは全て、ならびにＴＤＤのための０、１、５、および６サブフレームの全てまたはサブセットにおいて送信され得る。ＴＤＤのための特別なサブフレームの制限は、そのようなシステムにおいて適用し続ける。
【００６８】
[0075]カバレッジ強化を持つＭＴＣおよびＭＢＭＳをサポートするネットワークのための何らかの実施形態において、最悪のＭＢＭＳ構成を仮定し、特別なサブフレームへの制御情報を制限するというよりはむしろ、ＭＢＭＳ構成についての情報が提供され得る。このことは、ＰＢＣＨ予約済フィールドを使用するＰＢＣＨにおいて、ＳＩＢバンドリングサブフレームまたはＭＢＭＳ構成のインジケーションを含むことによって行われ得る。ＭＴＣデバイスは次に、提供された時間でバンドリングされたＭＴＣ＿ＳＩＢをリッスンし得る。
【００６９】
[0076]何らかの実施形態において、新たなＭＴＣ＿ＰＢＣＨが、定義され得る。このＭＴＣ＿ＰＢＣＨは、ＳＩＢバンドリングサブフレームまたはＭＢＭＳ構成のインジケーションを包含し得る。
【００７０】
[0077]上述のように、ＭＴＣ＿ｅＰＤＣＣＨは、ＭＴＣ＿ＳＩＢの周波数ロケーションを示し得る。この周波数ロケーションは、最悪の場合のＭＢＭＳ構成およびバンドリングシナリオにおけるリソース制限に対処するためにサブフレームの中心の６つのＲＢの外側のロケーションであり得る。
【００７１】
[0078]何らかの実施形態において、ＭＴＣ＿ＳＩＢのロケーションを示すためにＭＴＣ＿ｅＰＤＣＣＨを使用するというよりはむしろ、ＭＴＣ＿ＳＩＢは、バンドエッジにおける既知の、固定のロケーションにおいて送信され得る。ここで、ＭＴＣ＿ＳＩＢは、固定のロケーションにおいて送信され、ＭＴＣは、ネットワークの帯域幅を決定するためにＰＢＣＨを復号し、そしてバンドエッジにおいてＳＩＢを探し得る。
【００７２】
[0079]何らかの実施形態において、ＭＴＣ＿ｅＰＤＣＣＨとＭＴＣ＿ＳＩＢとの両方は、特定の割り当て以外の他のサブバンドにおいて送信され得る。ＭＴＣ＿ｅＰＤＣＣＨのロケーションは、ＰＢＣＨによってシグナリングされ得、またはＭＴＣ＿ｅＰＤＣＣＨおよびＭＴＣ＿ＳＩＢは、固定のロケーションに位置づけされ得る。
【００７３】
[0080]何らかの実施形態において、ＰＢＣＨ、ＭＴＣ＿ｅＰＤＣＣＨ、およびＭＴＣ＿ＳＩＢのうちの、少なくとも１つのサブセットのバンドルサイズは、バンドルサイズの送信を低減して、マッピングされ得る。例えば、ＰＢＣＨバンドルサイズは、ＰＢＣＨバンドリングが、ある特定の、特定の、サイズＸのものであるようにマッピングされ得、それは、ＭＴＣ＿ｅＰＤＣＣＨバンドルサイズが別の特定のサイズＹであることを仮定され得る。
【００７４】
[0081]何らかの実施形態において、ＭＴＣ＿ＳＩＢ再送は、拡張された時間期間の間固定され得、カバレッジ強化は、経時的に複数のＭＴＣ＿ＳＩＢを組み合わせることによって達成され得る。プロシージャ的に（Procedurally）、セル獲得および探索のために、拡張された時間期間の間ＭＴＣ＿ＳＩＢを固定することは、現在のＳＩＢ１獲得と同様に動作し、ｅＭＢＭＳ構成から独立してＴＤＤおよびＦＤＤモードの両方のための統一された設計を可能にすることとなる。例えば、ＭＴＣ＿ＳＩＢは、偶数の無線フレームのサブフレーム５か、奇数の無線フレームのサブフレーム５かのどちらかにおいて２０ｍｓごとに送信され得る。ＭＴＣ＿ＳＩＢコンテンツは次に、拡張された期間にわたって固定され得る。１６０倍の組み合わせの場合、ＭＴＣ＿ＳＩＢコンテンツは、１６０＊２０ｍｓ＝３．２秒にわたって固定されることとなる。ＭＴＣ＿ＳＩＢのＲＢ、ＭＣＳ、および冗長バージョン（ＲＶ）は、この時間期間にわたって固定されることとなり、復調の後、対数尤度比（ＬＬＲ）のシンプルな組み合わせを可能にする。ＲＢ、ＭＣＳ、またはＲＶが、時間期間にわたって変更されることを必要とする場合、この変更は、シグナリングされ得る。このシグナリングは、ＰＢＣＨ予約済ビットを介して、またはｅＰＤＣＣＨを使用することによってなされ得る。ここで、シグナリングは、ｅＰＤＣＣＨを使用して行われ、ｅＰＤＣＣＨは、ＭＴＣデバイスが変更より前にＳＩＢ割り当てを認識することを可能にして、変更が実施されるべき時間期間の開始より前にバンドリングされ得る。何らかの実施形態において、変更をシグナリングするｅＰＤＣＣＨは、既定のｅＰＤＣＣＨ送信を使用してＳＩＢと合わせて送信され得、したがって、ｅＰＤＣＣＨのためのＬＬＲは、同様に送信にわたって組み合わされ得る。
【００７５】
[0082]上述のように、本開示の態様は、システム帯域幅全体の比較的狭い帯域を使用してマシンタイプ通信（ＭＴＣ）デバイスに制御情報をシグナリングするための様々な技法を提供する。
【００７６】
[0083]本明細書に開示された方法は、説明された方法を達成するための１つ以上のステップまたはアクションを備える。方法のステップおよび／またはアクションは、特許請求の範囲から逸脱することなく互いに置き換えられ得る。言い換えれば、ステップまたはアクションの特定の順序が明記されていない限り、特定のステップおよび／またはアクションの順序および／または使用は、特許請求の範囲から逸脱することなく修正され得る。
【００７７】
[0084]本明細書で使用される場合、項目のリスト「のうちの少なくとも１つ」というフレーズは、単一のメンバを含む、それらの項目のあらゆる組み合わせを指す。例として、「ａ、ｂ、またはｃのうちの少なくとも１つ」は、ａ、ｂ、ｃ、ａｂ、ａｃ、ｂｃ、およびａｂｃ、ならびに同じ要素の複数のものとのあらゆる組み合わせ（例えば、ａａ、ａａａ、ａａｂ、ａａｃ、ａｂｂ、ａｃｃ、ｂｂ、ｂｂｂ、ｂｂｃ、ｃｃ、およびｃｃｃ、またはａ、ｂ、およびｃのあらゆる他の順序）をカバーするように意図される。
【００７８】
[0085]上記に説明された方法の様々な動作は、対応する機能を行うことが可能である任意の適切な手段によって行われ得る。これらの手段は、回路、特定用途向け集積回路（ＡＳＩＣ）、またはプロセッサを含むがそれらに限定されない、（１つまたは複数の）様々なハードウェアおよび／またはソフトウェア／ファームウェアコンポーネントおよび／またはモジュールを含み得る。一般的に、図に例示されている動作が存在する場合、それら動作は、任意の適切な対応するミーンズプラスファンクションコンポーネントによって行われ得る。
【００７９】
[0086]例えば、バンドリングされた送信上でＭＴＣのためのシステム情報のための１つ以上のロケーションを決定するための手段、１つ以上のサブフレームを決定するための手段、ＭＴＣ特有の制御チャネルを復号するための手段、１つ以上の固定のロケーションを決定するための手段、１つ以上の固定の時間を決定するための手段、および／またはシステム情報を復号するための手段は、図２に例示されているユーザ端末１２０の受信プロセッサ２５８および／またはコントローラ／プロセッサ２８０、ならびに／あるいは図２に例示されている基地局１１０の送信プロセッサ２２０および／またはコントローラ／プロセッサ２４０のような、１つ以上のプロセッサを含み得る。受信するための手段は、図２に例示されているユーザ端末１２０の受信プロセッサ（例えば、受信プロセッサ２５８）および／または（１つまたは複数の）アンテナ２５２を備え得る。送信するための手段は、図２に例示されているｅＮＢ１２０の送信プロセッサ（例えば、送信プロセッサ２２０）および／または（１つまたは複数の）アンテナ２３４を備え得る。
【００８０】
[0087]当業者は、情報および信号が様々な異なる技術および技法のうちのいずれかを使用して表され得ることを理解するであろう。例えば、上記説明全体にわたって参照され得るデータ、命令、コマンド、情報、信号、ビット、シンボル、およびチップは、電圧、電流、電磁波、磁場または磁性粒子、光場または光粒子、あるいはそれらの組み合わせによって表され得る。
【００８１】
[0088]当業者はさらに、本明細書における開示に関連して説明された様々な例示的な論理ブロック、モジュール、回路、およびアルゴリズムのステップが、電子ハードウェア、ソフトウェア／ファームウェア、またはそれらの組み合わせとして実施される得ることを認識するであろう。ハードウェアおよびソフトウェア／ファームウェアのこの互換性を明確に例示するために、様々な例示的なコンポーネント、ブロック、モジュール、回路、およびステップが、概してそれらの機能の観点から上記に説明されてきた。そのような機能が、ハードウェアとして実施されるかソフトウェア／ファームウェアとして実施されるかは、システム全体に課せられる設計制約および特定のアプリケーションに依存する。当業者は、各特定のアプリケーションのために様々な方法で説明された機能を実施し得るが、そのような実施の決定は、本開示の範囲からの逸脱をもたらすと解釈されるべきではない。
【００８２】
[0089]本明細書における開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、または本明細書に説明された機能を行うために設計されたそれらの任意の組み合わせを用いて実施または行われ得る。汎用プロセッサは、マイクロプロセッサであり得るが、代替において、プロセッサは、任意の従来のプロセッサ、コントローラ、マイクロコントローラ、またはステートマシンであり得る。プロセッサはまた、コンピューティングデバイスの組み合わせ、例えば、ＤＳＰとマイクロプロセッサの組合せ、複数のマイクロプロセッサ、ＤＳＰコアと連結した１つ以上のマイクロプロセッサ、または任意の他のそのような構成として実施され得る。
【００８３】
[0090]本明細書における開示に関連して説明されたアルゴリズムまたは方法のステップは、直接的にハードウェアにおいて、プロセッサによって実行されるソフトウェア／ファームウェアモジュールにおいて、またはそれらの組み合わせにおいて具現化され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、相変化メモリ（phase change memory）、レジスタ、ハードディスク、リムーバブルディスク、ＣＤ−ＲＯＭ、または当技術分野において既知の記憶媒体の任意の他の形態に存在し得る。例示的な記憶媒体は、プロセッサが記憶媒体から情報を読み取り、および記憶媒体に情報を書き込むことができるようにプロセッサに結合される。代替において、記憶媒体は、プロセッサと一体化され得る。プロセッサおよび記憶媒体は、ＡＳＩＣに存在し得る。ＡＳＩＣは、ユーザ端末に存在し得る。代替において、プロセッサおよび記憶媒体は、ユーザ端末におけるディスクリートコンポーネントとして存在し得る。
【００８４】
[0091]１つ以上の例示的な設計において、説明された機能は、ハードウェア、ソフトウェア／ファームウェア、またはそれらの組み合わせにおいて実施され得る。ソフトウェア／ファームウェアにおいて実施される場合、機能は、コンピュータ読み取り可能な媒体上の１つ以上の命令またはコードとして記憶または送信され得る。コンピュータ読み取り可能な媒体は、１つの場所から別の場所へのコンピュータプログラムの転送を容易にする任意の媒体を含むコンピュータ記憶媒体および通信媒体の両方を含む。記憶媒体は、汎用または専用コンピュータによってアクセスされることができる任意の利用可能な媒体であり得る。限定ではなく例として、そのようなコンピュータ読み取り可能な媒体は、ＲＡＭ、ＲＯＭ、ＥＥＰＲＯＭ、ＣＤ／ＤＶＤまたは他の光ディスク記憶装置、磁気ディスク記憶装置または他の磁気記憶デバイス、あるいは、命令またはデータ構造の形態で所望のプログラムコード手段を搬送または記憶するために使用されることができ、かつ、汎用または専用コンピュータ、あるいは汎用または専用プロセッサによってアクセスされることができる、任意の他の媒体を備えることができる。また、任意の接続は、厳密にはコンピュータ読み取り可能な媒体と称される。例えば、ソフトウェア／ファームウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（Disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ここでディスク（disks）は通常、磁気的にデータを再生し、一方ディスク（discs）は、レーザーを用いて光学的にデータを再生する。上記の組み合わせはまた、コンピュータ読み取り可能な媒体の範囲内に含まれるべきである。
【００８５】
[0092]本開示の先の説明は、いかなる当業者であっても本開示を製造または使用することを可能にするために提供される。本開示への様々な変更は、当業者に容易に明らかとなり、本明細書に定義された包括的な原理は、本開示の趣旨または範囲から逸脱することなく他のバリエーションに適用され得る。よって、本開示は、本明細書に説明された例および設計に限定されるように意図されるものではなく、本明細書に開示された原理および新規の特徴と合致する最も広い範囲が付与されるべきである。
【図１】
0006732765.tif 000002
【図２】
0006732765.tif 000003
【図３】
0006732765.tif 000004
【図４】
0006732765.tif 000005
【図５】
0006732765.tif 000006
【図６Ａ】
0006732765.tif 000007
【図６Ｂ】
0006732765.tif 000008
【図７】
0006732765.tif 000009
【図８】
0006732765.tif 000010